(57)【要約】【課題】多量のイオンを発生させるために２対の電極を設ける場合、基板の同じ面に並べて２対の電極を配置したのでは、電極が占める面積が２倍になり、その結果基板が大型化するという不具合が生じる。このように基板が大型化すると、基板を収納するケーシングが大型化し、そのためイオン発生装置の収納場所の選択に際し自由度が狭められてしまうことになる。【解決手段】針状の電極を基板の両面に各々立設すると共に、各針状の電極に対して板状の電極を設け、針状の電極同士と板状の電極同士とを各々相互に接続する。【選択図】  図１
2011076722.tif 000002
【特許請求の範囲】
【請求項１】
基板上に立設された針状の電極と、この針状の電極の先端を囲繞する窓穴が形成された板状の電極とを備え、両電極間に高電圧を印加することによってイオンを発生させるイオン発生装置において、上記針状の電極を基板の両面に各々立設すると共に、各針状の電極に対して板状の電極を設け、針状の電極同士と板状の電極同士とを各々相互に接続したことを特徴とするイオン発生装置。
【請求項２】
上記基板を２枚の板材を貼り合わせて形成すると共に、上記針状の電極へ給電するための配線を両板材で挟んで設けたことを特徴とする請求項１に記載のイオン発生装置。
【発明の詳細な説明】
【技術分野】
【０００１】
本発明は、基板上に立設された針状の電極と、この針状の電極の先端を囲繞する窓穴が形成された板状の電極とを備えたイオン発生装置に関する。
【背景技術】
【０００２】
従来のこの種のイオン発生装置としては、高周波の一次電圧を昇圧トランスで高電圧に昇圧し、１対の電極の電極間に高電圧を印加することにより電極間に放電を発生させてイオンを生成するものが広く知られている。この放電用の電極としては種々の形状のものが用いられるが、大量のイオンを発生させやすいものとして、針状の電極とこの針状の電極の先端を囲繞する円形の窓穴を備えた板状の電極とからなるものが知られている。
【０００３】
この形式の電極では、針状の電極の先端と窓穴の周縁との距離を大きく広げることができないので、さらに多量のイオンを発生させたい場合には、さらにもう１対の電極を増設することになる（例えば、特許文献１参照）。従来のものでは、針状の電極は基板上に立設されるので、基板の表面に適宜の間隔を開けて２本の針状の電極を立設させ、両針状の電極の先端の各々を囲繞する窓穴を備えた板状の電極を配置している。
【先行技術文献】
【特許文献】
【０００４】
【特許文献１】特開２００８−２９３８８４号公報（図３，４，５，７）
【発明の概要】
【発明が解決しようとする課題】
【０００５】
上記従来のもののように、多量のイオンを発生させるために２対の電極を設ける場合、基板の同じ面に並べて２対の電極を配置したのでは、電極が占める面積が２倍になり、その結果基板が大型化するという不具合が生じる。このように基板が大型化すると、基板を収納するケーシングが大型化し、そのためイオン発生装置の収納場所の選択に際し自由度が狭められてしまうことになる。
【０００６】
そこで本発明は、上記の問題点に鑑み、基板を大型化することなく多量のイオンを発生させることのできるイオン発生装置を提供することを課題とする。
【課題を解決するための手段】
【０００７】
上記課題を解決するために本発明によるイオン発生装置は、基板上に立設された針状の電極と、この針状の電極の先端を囲繞する窓穴が形成された板状の電極とを備え、両電極間に高電圧を印加することによってイオンを発生させるイオン発生装置において、上記針状の電極を基板の両面に各々立設すると共に、各針状の電極に対して板状の電極を設け、針状の電極同士と板状の電極同士とを各々相互に接続したことを特徴とする。
【０００８】
２対の電極を基板の両面に各々配置したので、基板の大きさは１対の電極しか設けていないものとほぼ同じ大きさになる。したがって、電極を１対から２対に増加させても基板の大きさはほぼ変わらない。
【０００９】
ところで、針状の電極に給電する配線は板状の電極に対して充分に絶縁することが望まれる。そこで、上記基板を２枚の板材を貼り合わせて形成すると共に、上記針状の電極へ給電するための配線を両板材で挟んで設けることによって、この配線と板状の電極との間の絶縁を確保できるようにした。
【発明の効果】
【００１０】
以上の説明から明らかなように、本発明は、２対の電極を設けても１対の電極を設けた場合と基板の大きさがほぼ変わらないので、２対の電極により多量のイオンを生成することのできるイオン発生装置を小型に製造することができる。
【図面の簡単な説明】
【００１１】
【図１】本発明の一実施の形態の構成を示す図
【図２】II-II断面図
【図３】第２の実施形態を示す図
【図４】第３の実施形態を示す図
【図５】第４の実施形態を示す図
【発明を実施するための形態】
【００１２】
図１を参照して、１は本発明によるイオン発生装置のケーシングである。このケーシング１の内部には基板２が収納されている。この基板２には図示しないが、外部から供給される直流電力を交流に変換する発振回路と、発振回路から出力される低電圧の交流電力を高電圧に昇圧する昇圧トランスとが取り付けられている。そして、昇圧トランスで昇圧された高電圧の電力の一方はダイオードを介して針状の電極４に印加される。また、他方は板状の電極３に供給される。すると、電極４と電極３の窓穴３１の周縁との間に高電圧が印加されることになるため、両電極３，４間で放電が生じ、その放電によりイオンが生成される。生成されたイオンはケーシング１に形成された開口部１１から外部へと流出する。
【００１３】
図２に示すように、電極４は基板２の両面に突出するように貫通して設けられている。また、基板２は２枚の板部材２１，２２を貼り合わせることにより形成されているが、両板部材２１，２２の間に配線部材５を挟み込み、電極４がこの配線部材５を貫通することにより配線部材５と電極４とが電気的に接続されるようにした。そして配線部材５を介して昇圧トランスからの高電圧の電力が電極４に給電されるようにした。
【００１４】
電極４が基板２の片面にのみ突出する従来のものでは、電極４の突出面に対して裏面に配線部材５を設ければ、電極３に対して配線部材５が基板２によって隠れるため絶縁性が担保されるが、本発明のように、基板２の両面に電極３が臨む場合には、配線部材５と電極３との間の絶縁性を確保することが望ましい。そこで、２枚の板部材２１，２２で配線部材５を挟むことにより、板部材２１，２２で配線部材５を電極３に対して隠すことにより絶縁性を確保することとした。
【００１５】
ところで、２対の電極３，４を基板２の両面に各々設ける形態としては、図１および図２に示す形態に限られるものではない。例えば、図３に示すように、針状の電極として２本の電極４Ａ，４Ｂを用いると共に、板状の電極として２個の電極３Ａ，３Ｂを用いてもよい。
【００１６】
さらに、板状の電極３に形成する窓穴は必ずしも円形である必要はなく、例えば図４に示すように、一方向に対して開くように窓穴３２を形成してもよい。また、２個の電極３Ａ，３Ｂを用いる場合、基板２の長手方向に沿って電極３Ａ，３Ｂを基板２に取り付けてもよい。
【００１７】
なお、本発明は上記した形態に限定されるものではなく、本発明の要旨を逸脱しない範囲内において種々の変更を加えてもかまわない。
【符号の説明】
【００１８】
１  ケーシング
２  基板
３  電極
４  電極
５  配線部材
【図１】
2011076722.tif 000003
【図２】
2011076722.tif 000004
【図３】
2011076722.tif 000005
【図４】
2011076722.tif 000006
【図５】
2011076722.tif 000007